(57)【要約】      （修正有）【課題】ホームベースとの位置関係から、簡単かつ正確にバッターボックスのラインを作成できるライン引きゲージを提供する。【解決手段】グランドに設置されたホームベースの上辺に中央枠体１３を合わせることで、上部枠体１１、下部枠体１２、縦枠体１４、コ字状枠体１５，１６で囲まれた各左右部分が、ホームベースに対して正確な位置となるバッターボックス枠に相当するので、グランドに対して各枠体に沿った線による印を付けることで、バッターボックスのラインを作成できる。一対のＬ字枠体１７，１８を装着することで、バッターボックスの位置に対するキャッチャー位置のラインを容易に作成できる。また、上部中央ヒンジ、下部中央ヒンジ、中間中央ヒンジ、右側上部ヒンジ、右側下部ヒンジ、左側上部ヒンジ、左側下部ヒンジ、最下位部ヒンジ、連結ヒンジの各折曲方向を工夫して枠体を連結することで、コンパクトに折り畳める。【選択図】図９
0003164282.tif 000002
【実用新案登録請求の範囲】
【請求項１】
ホームベースに対してバッターボックスのラインを引くためのライン引きゲージであって、
中央で上側方向に折曲するように上部中央ヒンジ（１）を介して連結された一対の上部枠体（１１），（１１）と、
中央で上側方向に折曲するように下部中央ヒンジ（２）を介して連結された一対の下部枠体（１２），（１２）と、
前記上部枠体（１１）と前記下部枠体（１２）との間に位置し、中央で上側方向に折曲するように中間中央ヒンジ（３）を介して連結された一対の中央枠体（１３），（１３）とを備え、
前記中央枠体（１３），（１３）は、前記ホームベースの上辺に沿って配置可能にするとともに、前記上部枠体（１１），（１１）及び前記下部枠体（１２），（１２）より短い幅で形成される一方、
前記上部枠体（１１）と前記下部枠体（１２）との間に架設されるとともに前記中央枠体（１３）の各端に連結された縦枠体（１４），（１４）と、
前記上部枠体（１１）及び前記下部枠体（１２）の右側上下端に対して、下側方向に折曲するように右側上部ヒンジ（４）及び右側下部ヒンジ（５）を介して連結されたコ字状枠体（１５）と、
前記上部枠体（１１）及び前記下部枠体（１２）の左側上下端に対して、下側方向に折曲するように左側上部ヒンジ（６）及び左側下部ヒンジ（７）を介して連結されたコ字状枠体（１６）とを備えることで、
前記上部枠体（１１）、下部枠体（１２）、縦枠体（１４）、コ字状枠体（１５），（１６）で囲まれた各左右部分がバッターボックス枠に相当するように構成したことを特徴とするライン引きゲージ。
【請求項２】
短側同士を下側方向に折曲するように最下位部ヒンジ（８）を介して連結された一対のＬ字枠体（１７），（１８）について、その長辺端部の各部を上側方向に折曲するように前記右側下部ヒンジ（５）及び左側下部ヒンジ（７）の各内側位置における前記下部枠体（１２），（１２）に対して連結ヒンジ（９）（１０）を介して連結して成る請求項１に記載のライン引きゲージ。
【請求項３】
縦枠体（１４）、コ字状枠体（１５），（１６）、Ｌ字枠体（１７），（１８）に対して、各枠体の上下方向に移動可能にスライド体（３０）をそれぞれ装着し、各スライド体（３０）にグランド面に当接可能な棒状部（３２）を装着して成る請求項２に記載のライン引きゲージ。
【請求項４】
棒状体（３２）の枠体側に平面部を形成し、棒状体（３２）の先端側に形成したくさび部（３２ｂ）の最先端側が前記枠体側に沿って位置する請求項３に記載のライン引きゲージ。
【考案の詳細な説明】
【技術分野】
【０００１】
本考案は、野球場において競技を行うために描かれるライン（区画線）におけるバッターボックスを作成するためのライン引きゲージに関し、特に、折り畳み可能な構造を有するライン引きゲージに関する。
【背景技術】
【０００２】
野球場におけるバッターボックスの位置は、公式ルールにより正確に決められているが、何らの目印がないグランド上において、正確な位置にバッターボックスのラインを引くことは困難であり、規格に沿った位置にバッターボックスのラインを簡単に引くことができる器具の開発が望まれていた。
【０００３】
そこで、野球場におけるバッターボックスを作成するための器具としては、例えば特許文献１に示されるように、一つの方形状のバッターボックス作成フレームに対して、ホームベースとバッターボックスとの位置関係を測定するための位置関係測定用ピースをフレーム材に固定した器具が提案されている。
【先行技術文献】
【特許文献】
【０００４】
【特許文献１】特開２００４−２４９０４６号公報
【考案の開示】
【考案が解決しようとする課題】
【０００５】
しかしながら、上述した特許文献１の器具によれば、一つの方形状のバッターボックス作成フレームを移動させて左右のバッターボックスのラインを作成する必要があるので、作業が面倒になるとともに、移動に際してフレームの設置位置にずれが生じ、左右の正確な位置にバッターボックスのラインを引くことが困難であるという問題点があった。
【０００６】
本考案は上記実情に鑑みて提案されたもので、何らの目印が存在しないグランドにおいて、ホームベースとの位置関係から、簡単かつ正確にバッターボックスのラインを作成することができるライン引きゲージを提供することを目的としている。
【課題を解決するための手段】
【０００７】
上記目的を達成するため請求項１の考案は、ホームベースに対してバッターボックスのラインを引くためのライン引きゲージであって、中央で上側方向に折曲するように上部中央ヒンジ（１）を介して連結された一対の上部枠体（１１），（１１）と、中央で上側方向に折曲するように下部中央ヒンジ（２）を介して連結された一対の下部枠体（１２），（１２）と、前記上部枠体（１１）と前記下部枠体（１２）との間に位置し、中央で上側方向に折曲するように中間中央ヒンジ（３）を介して連結された一対の中央枠体（１３），（１３）とを備えている。
そして、前記中央枠体（１３），（１３）は、前記ホームベースの上辺に沿って配置可能にするとともに、前記上部枠体（１１），（１１）及び前記下部枠体（１２），（１２）より短い幅で形成される。
更に、前記上部枠体（１１）と前記下部枠体（１２）との間に架設されるとともに前記中央枠体（１３）の各端に連結された縦枠体（１４），（１４）と、前記上部枠体（１１）及び前記下部枠体（１２）の右側上下端に対して、下側方向に折曲するように右側上部ヒンジ（４）及び右側下部ヒンジ（５）を介して連結されたコ字状枠体（１５）と、前記上部枠体（１１）及び前記下部枠体（１２）の左側上下端に対して、下側方向に折曲するように左側上部ヒンジ（６）及び左側下部ヒンジ（７）を介して連結されたコ字状枠体（１６）とを備えることで、前記上部枠体（１１）、下部枠体（１２）、縦枠体（１４）、コ字状枠体（１５），（１６）で囲まれた各左右部分がバッターボックス枠に相当するように構成したことを特徴としている。
【０００８】
請求項２の考案は、請求項１のライン引きゲージにおいて、短側同士を下側方向に折曲するように最下位部ヒンジ（８）を介して連結された一対のＬ字枠体（１７），（１８）について、その長辺端部の各部を上側方向に折曲するように前記右側下部ヒンジ（５）及び左側下部ヒンジ（７）の各内側位置における前記下部枠体（１２），（１２）に対して連結ヒンジ（９）（１０）を介して連結したことを特徴としている。
【０００９】
請求項３の考案は、請求項２のライン引きゲージにおいて、縦枠体（１４）、コ字状枠体（１５），（１６）、Ｌ字枠体（１７），（１８）に対して、各枠体の上下方向に移動可能にスライド体（３０）をそれぞれ装着し、各スライド体（３０）にグランド面に当接可能な棒状部（３２）を装着して成ることを特徴としている。
【００１０】
請求項４の考案は、請求項３のライン引きゲージにおいて、棒状体（３２）の枠体側に平面部を形成し、棒状体（３２）の先端側に形成したくさび部（３２ｂ）の最先端側が前記枠体側に沿って位置することを特徴としている。
【考案の効果】
【００１１】
本考案のライン引きゲージによれば、グランドに設置されたホームベースの上辺に中央枠体（１３），（１３）を合わせることで、上部枠体（１１）、下部枠体（１２）、縦枠体（１４）、コ字状枠体（１５），（１６）で囲まれた各左右部分が、ホームベースに対して正確な位置となるバッターボックス枠に相当するので、グランドに対して各枠体に沿った線による印を付けることで、バッターボックスのラインを作成することができる。
【００１２】
また、上部中央ヒンジ（１）、下部中央ヒンジ（２）、中間中央ヒンジ３、  右側上部ヒンジ４、右側下部ヒンジ５、左側上部ヒンジ６、  左側下部ヒンジ７、  最下位部ヒンジ８、連結ヒンジ９，１０の各折曲方向を工夫して枠体を連結することで、コンパクトに折り畳むことができる。
【００１３】
一対のＬ字枠体（１７），（１８）を装着することで、バッターボックスの位置に対するキャッチャー位置のラインを容易に作成することができる。
【００１４】
各枠体の上下方向に移動可能にスライド体（３０）をそれぞれ装着し、各スライド体（３０）にグランド面に当接可能な棒状部（３２）を装着することで、棒状部（３２）の先端でグランド面に対して直線状の印を付けることで、バッターボックスのラインを容易に作成することができる。
【００１５】
棒状体（３２）の枠体側に平面部を形成し枠体に当接させることで、棒状体（３２）の先端側に形成したくさび部（３２ｂ）の最先端側が常に枠体側に沿って位置させることができる。
【図面の簡単な説明】
【００１６】
【図１】本考案のライン引きゲージの実施の形態の一例を示す斜視説明図である。
【図２】本考案のライン引きゲージを使用してバッターボックスのラインを作成した場合のラインを示す平面説明図である。
【図３】ライン引きゲージにおけるヒンジ部分の構造を示すもので、（ａ）は平面説明図、（ｂ）は正面説明図である。
【図４】ライン引きゲージにおけるヒンジ部分の構造を示すもので、（ａ）は平面説明図、（ｂ）は正面説明図である。
【図５】ライン引きに使用される棒状体の平面説明図である。
【図６】（ａ）〜（ｄ）は、本考案のライン引きゲージを折り畳む場合の手順を説明するための斜視説明図である。
【図７】（ａ）〜（ｄ）は、図６に続く本考案のライン引きゲージを折り畳む場合の手順を説明するための斜視説明図である。
【図８】（ａ）〜（ｃ）は、図７に続く本考案のライン引きゲージを折り畳む場合の手順を説明するための斜視説明図である。
【図９】本考案のライン引きゲージの実施形態の他の例を示すもので、スライド体を装着した場合の平面説明図である。
【図１０】ライン引きゲージに装着されるスライド体を示すもので、（ａ）は正面説明図、（ｂ）は平面説明図である。
【考案を実施するための形態】
【００１７】
本考案に係るライン引きゲージの実施の形態の一例について、図面を参照しながら説明する。
【００１８】
本考案のライン引きゲージは、野球場においてホームベースに対してバッターボックスのラインを引くための器具であり、複数の方形状の枠体を連結して組み合わせることで構成されている。
すなわち、図１及び図２における上部枠体１１Ｌと上部枠体１１Ｒとは、中央で上側方向にＶ字に折曲する上部中央ヒンジ１を介して連結されている。下部枠体１２Ｌと下部枠体１２Ｒとは、中央で上側方向にＶ字に折曲するように下部中央ヒンジ２を介して連結されている。ヒンジ部分の詳細構造については後述する。
【００１９】
上部枠体１１と下部枠体１２との中間位置より上側の位置においては、中央で上側方向にＶ字に折曲する中間中央ヒンジ３を介して中央枠体１３Ｌ，１３Ｒが連結されている。この中央枠体１３Ｌ，１３Ｒは、上部枠体１１Ｌ，１１Ｒ及び下部枠体１２Ｌ，１２Ｒより短い幅で形成され、野球場における規定位置に設置されたホームベースＨＢの上辺に沿って配置するように連結されている。
【００２０】
上部枠体１１と下部枠体１２との間には、中央枠体１３Ｌの左端、中央枠体１３Ｒの右端において、中央枠体１３に対して直交して連結するように縦枠体１４，１４がそれぞれ溶接により架設されている。
上部枠体１１及び下部枠体１２の右側上下端に対しては、右側上部ヒンジ４及び右側下部ヒンジ５を介してコ字状枠体１５が連結されている。右側上部ヒンジ４及び右側下部ヒンジ５は、下側方向に折曲するように構成されている。
同様に、上部枠体１１及び下部枠体１２の左側上下端に対しては、下側方向に折曲するように左側上部ヒンジ６及び左側下部ヒンジ７を介してコ字状枠体１６が連結されている。
【００２１】
また、一対のＬ字枠体１７，１８の短側同士が下側方向に折曲するように、最下位部ヒンジ８を介して連結し、連結されたＬ字枠体１７，１８について、その長辺端部の各部を上側方向に折曲するように、下部枠体１２，１２に対して連結ヒンジ９,１０を介して連結する。連結位置は、下部枠体１２，１２に対して、右側下部ヒンジ５及び左側下部ヒンジ７の各内側位置に連結ヒンジ９,１０が位置するようにする。
【００２２】
また、中央枠体１３Ｌ，１３Ｒには、ホームベースＨＢの上部両端に対応する位置に、位置決めマーカー２１，２１がペイントされてある。
コ字状枠体１５の上枠には、一塁側ライン線が描かれる位置（ホームベースの上辺に中央枠体１３を合わせた場合に、ホームベースの斜辺部の延長線上の内側にある位置）にライン印２２がペイントされている。ライン印２２は、ライン幅に重なる部分がペイントされている。同様に、コ字状枠体１６の上枠には、三塁側ライン線が描かれる位置にライン印２２がペイントされている。
【００２３】
次に、ヒンジ部分の詳細構造について、図３及び図４を参照しながら説明する。
図３（ａ）（ｂ）は、枠体の端部同士の連結構造、すなわち図２における上側方向にＶ字に折曲するヒンジ構造である上部中央ヒンジ１，下部中央ヒンジ２,中間中央ヒンジ３を示している。
上部枠体１１同士を連結する上部中央ヒンジ１を例に説明すると、図３に示すように、上部枠体１１Ｒの左端部上面中央に対して、略楔形状の回転片４１の下面を溶接して固定し、上部枠体１１Ｌの右端部に前記回転片４１を挟むように一対の略楔形状の固定片４２，４２の下面をそれぞれ溶接する。固定片４２，４２間には幅広側に軸部４３が連結され、この軸部４３が上部枠体１１の端部から突出して回動部となるように固定片４２，４２が固定され、また、回転片４１は軸部４３が貫通するように装着されることで回動可能に軸着されている。
また、上部枠体１１同士は距離ｔ離れた状態で連結されている。上部枠体１１同士が距離ｔだけ離れている状態とすることで、枠体１１同士が下側方向に対しても少しだけＶ字に折曲可能になっている。反対（この場合は下側）方向にも多少折り曲げ可能とすることで、後述するライン引きゲージの折り畳み作業を行うに際して、取り扱いを容易にすることができる。
図３では上部枠体１１同士を連結する上部中央ヒンジ１を例に説明したが、下部枠体１２同士に対する下部中央ヒンジ２、及び、中央枠体１３同士に対する中間中央ヒンジ３も同様の構造となっている。
【００２４】
また、右側上部ヒンジ４及び右側下部ヒンジ５、左側上部ヒンジ６及び左側下部ヒンジ７、最下位部ヒンジ８は、図３の構造が上下逆になるように構成すればよい。すなわち、枠体に溶接される回転片及び固定辺が枠体の下面側に溶接するように固定する。
【００２５】
図４（ａ）（ｂ）は、枠体と枠体とが直角に連結する構造、すなわち図２における連結ヒンジ９，連結ヒンジ１０を示している。  各連結ヒンジ９,１０は、上側方向にＶ字に折曲するヒンジ構造となっている。
図２の下部枠体１２，１２に対して、右側下部ヒンジ５及び左側下部ヒンジ７の各内側位置に一対の固定片５２，５２の下面を枠体に長手方向に直交する方向に隙間を空けてそれぞれ溶接する。そして、Ｌ字枠体１７，１８の端部に回転片５１の下面を溶接して固定し、回転片５１が固定片５２，５２間に装着された軸部５３に対して回動可能なように軸着されている。
この場合においても、下部枠体１２とＬ字枠体１８とは距離ｔ離れた状態で連結されている。下部枠体１２とＬ字枠体１８とが距離ｔだけ離れている状態とすることで、枠体１２，１７（１８）同士が下側方向に対しても少しだけＶ字に折曲可能になっている。
【００２６】
上述したように枠体同士が連結されたライン引きゲージを使用することで、上部枠体１１、下部枠体１２、縦枠体１４、コ字状枠体１５，１６で囲まれた各左右部分がバッターボックス枠に相当し、Ｌ字枠体１７，１８の縦枠体１４に沿う枠体部分が、キャッチャー位置に相当する。したがって、各枠体に沿って図５に示すような把持６１部を備えた棒状体６０を使用し、その先端部６２で線を描くようにすれば、バッターボックス等のラインの外枠部分を引くことができる。
そして、グランド面からライン引きゲージを折り畳んで移動し、棒状体６０で引かれた外枠ラインに沿ってその内側部分に、図２の斜線部分で示したような幅を有する白線を引くようにすれば、ホームベースＨＢに対して正確な位置にバッターボックス及びキャッチャーボックスのラインを引くことができる。
【００２７】
また、左右の縦枠体１４，１４の上側位置には、上面側から下面に貫通する穴（固定止め穴）１９がそれぞれ設けられている。枠体を展開した場合（図１）のＬ字枠体１７，１８の縦枠体１４の延長線上の位置にも、上面側から下面に貫通する穴２０がそれぞれ設けられている。これらの穴は、ライン引きゲージを折り畳んだ状態を示す後述の図８（ｃ）において、枠体を折り畳んだ際に互いに近接する位置となり、近接した各穴１９，２０に対して例えばＬ字棒を貫通させることで折り畳み状態を保持でき、移動の際の便宜を図ることができる。
【００２８】
次に、展開された状態のライン引きゲージ（図１）を折り畳む手順について、図６〜図８を参照しながら説明する。
各枠体が展開された状態（図１）において、連結ヒンジ９，１０に対して、連結されたＬ字枠体１７，１８を上側に回動させて折り曲げ上部枠体１１側に重ねる（図６（ａ）〜（ｄ））。
【００２９】
次に、図６（ｄ）の状態から、右側上部ヒンジ４及び右側下部ヒンジ５を基点にコ字状枠体１５を下側に回動させて折り曲げる。この折り曲げ処理は、上部枠体１１及び下部枠体１２が上側にＶ字となる状態で行うことで（図７（ａ）〜（ｃ））、上部枠体１１及び下部枠体１２の下側にコ字状枠体１５が収納される（図７（ｄ））。
【００３０】
同様に、左側上部ヒンジ６及び左側下部ヒンジ７を基点にコ字状枠体１６を下側に回動させて折り曲げ（図８（ａ））、更に、上部中央ヒンジ１，下部中央ヒンジ２，中間中央ヒンジ３を基点にコ字状枠体１６を上側にＶ字となるように折り曲げ（図８（ｂ））、図８（ｃ）に示すようなコンパクトな折り畳み状態とすることができる。
すなわち、上部中央ヒンジ１、下部中央ヒンジ２、中間中央ヒンジ３、右側上部ヒンジ４、右側下部ヒンジ５、左側上部ヒンジ６、  左側下部ヒンジ７、最下位部ヒンジ８、連結ヒンジ９，１０の各ヒンジの折曲方向を工夫することにより、図８（ｃ）に示すようにコンパクトに折り畳むことが可能となる。
【００３１】
図９は、ライン引きゲージの他の実施例を示すもので、コ字状枠体１５，１６、Ｌ字枠体１７，１８に対して、各枠体の上下方向に移動可能にスライド体３０をそれぞれ装着したものである。図９において、図１のライン引きゲージと同一構成をとる部分については、同一符号を付している。
【００３２】
スライド体３０は、枠体の上面を移動するスライド片３１と、スライド片３１の中央に貫通配置してグランド面に当接可能な棒状部３２を備えて構成されている。棒状部３２は、上側にフランジ部３２ａを形成し、このフランジ部３２ａとスライド片３１の上面との間に弾性部材３３が装着されている。棒状部３２の下部先端側には、枠体側に傾斜面となるくさび部３２ｂが形成されている。また、スライド片３１の下面側には、棒状部３２を挟む位置において側体下面を支持する支持片３４が設けられている。スライド片３の下面に位置する棒状体３２には係止片３５が設けられ、弾性部材３３により常時上方向に付勢される棒状体３２のストッパーとして作用している。
【００３３】
また、棒状体３２は枠体１５側に平面部が形成され、枠体１５に当接させることで回転が規制（防止）され、くさび部３２ｂの最先端側が常時枠体１５側に沿って位置するように構成されている。
【００３４】
したがって、棒状体３２のフランジ部３２ａを弾性部材３３に抗して押え付けながらコ字状枠体１５，１６、Ｌ字枠体１７，１８に対してスライド体３０を移動させることにより、弾性部材３３の先端部に生じる押圧力によりグランド面に対してくさび部３２ｂが接触することで、バッターボックスを形成する上下方向の線を描くことができる。
【符号の説明】
【００３５】
１…上部中央ヒンジ、  ２…下部中央ヒンジ、  ３…中間中央ヒンジ、  ４…右側上部ヒンジ、  ５…右側下部ヒンジ、  ６…左側上部ヒンジ、  ７…左側下部ヒンジ、  ８…最下位部ヒンジ、  ９，１０…連結ヒンジ、  １１…上部枠体、  １２…下部枠体、  １３…中央枠体、  １４…縦枠体、  １５，１６…コ字状枠体、  １７，１８…Ｌ字枠体、  １９…穴、  ２０…穴、  ３０…スライド体、  ３２…棒状部、  ３２ｂ…くさび部。
【図１】
0003164282.tif 000003
【図２】
0003164282.tif 000004
【図３】
0003164282.tif 000005
【図４】
0003164282.tif 000006
【図５】
0003164282.tif 000007
【図６】
0003164282.tif 000008
【図７】
0003164282.tif 000009
【図８】
0003164282.tif 000010
【図９】
0003164282.tif 000011
【図１０】
0003164282.tif 000012